(57)【要約】【課題】コードリールを器体外殻の開口部下方に設置する場合でも、カバー部材等を設けることなく安全を確保することができる電気器具を提供する。【解決手段】器体外殻１が、その底面を構成する底部材２と、この底部材２と上下に一体化される外殻上方部材３とを有し、前記器体外殻１の開口部１５の下方にコードリール２０をその巻取り軸２６が水平方向を向くように設置し、前記コードリール２０は、ケース部材２１の一端側開口にカバー部材２２が結合され、カバー部材２２の側面に外部端子２３が露出する本体ケーシング２４を備え、この本体ケーシング２４の結合隙間２７を開口部１５の下方からカバー部材２２側に外して位置させ、前記外殻上方部材３の内面に下向きの突壁３０を前記ケース部材２１の外周面上部に合致する先端形状で形成し、この突壁３０の先端と前記底部材２の内底面とにより前記コードリール２０を上下に挟持させた。【選択図】図５
2006192145.tif 000002
【特許請求の範囲】
【請求項１】
器体外殻が、その底面を構成する底部材と、この底部材と上下に一体化される外殻上方部材とを有し、前記器体外殻の開口部下方にコードリールをその巻取り軸が水平方向を向くように設置した電気器具において、前記コードリールは、ケース部材の一端側開口にカバー部材が結合され、カバー部材側面に外部端子が露出する本体ケーシングを備え、この本体ケーシングの結合隙間を開口部下方からカバー部材側に外して位置させ、前記外殻上方部材の内面に下向きの突壁を前記ケース部材の外周面上部に合致する先端形状で形成し、この突壁の先端と前記底部材の内底面とにより前記コードリールを上下に挟持させたことを特徴とする電気器具。
【請求項２】
前記突壁を、前記外部端子よりも下方位置まで前記ケース部材の外周面に合致するように設けたことを特徴とする請求項１に記載の電気器具。
【請求項３】
前記外殻上方部材の内面に、前記本体ケーシングの両側面を挟む下向きの対壁を形成したことを特徴とする請求項１または２に記載の電気器具。
【発明の詳細な説明】
【技術分野】
【０００１】
この発明は、炊飯器などの電気器具に関し、より詳しくは、器体に内蔵するコードリールの設置構造に関する。
【背景技術】
【０００２】
電気器具にコードリールを内蔵することは広く行われているが、設置空間の都合により器体外殻の開口部の下方に配置せざるを得ない場合がある。その一例として、従来からある圧力式炊飯器の器体後部付近を拡大した縦断面を図９（ａ）に示し、（ｂ）に（ａ）図のｂ−ｂ線の断面を示す。
【０００３】
図９（ａ）、（ｂ）に示す炊飯器の器体外殻４０は、その底面を構成する底部材４１と、この底部材４１と上下方向に一体化される外殻上方部材４２と、外殻上方部材４２の肩部後端に形成されたヒンジ部４３を覆うように取付けられるヒンジカバー４４とを有する（特許文献１参照）。
【０００４】
ヒンジカバー４４の上面には、蓋側へ配するリード線を通すための開口部４５が形成されている。このため、稀ではあるが、蓋を開いた場合等に、蓋外面を伝ったおねばや結露がヒンジ部４３に流れ、開口部４５から器体内に浸入することが起こり得る。
【０００５】
ところが、この開口部４５の下方には、コードリール５０が設置されている。コードリール５０は、電源コード５１と、この電源コード５１の巻取り軸５２と、この巻取り軸５２を巻取り方向に回転付勢する回転付勢手段（図示省略）とを収納する本体ケーシング５３を備えている。この本体ケーシング５３は、合成樹脂ケース５４の一端側開口部に金属カバー５５が一体結合され、金属カバー５５の側面に外部端子５６が露出する構造を有する。
【０００６】
上記のコードリール５０は、巻取り軸５２が水平方向を向き、外部端子５６が開口部４５の下方に配置されているため、安全上、外部端子５６がおねば等で濡れたり、本体ケーシング５３内の充電部がその合成樹脂ケース５４と金属カバー５５との結合隙間５７から浸入したおねば等で濡れたりすることを防止する必要がある。
【０００７】
そこで、外殻上方部材４２には、開口部４５とコードリール５０との間を仕切る壁面４６が形成されている。この壁面４６は、外部端子５６の上方を覆うように後端側に屈曲されおり、その下端水平部には、コネクタ４７へリード線を通すための下側開口部４８が形成されている。この下側開口部４８は、外部端子５６の近傍に位置しているので、ヒンジカバー４４によりその上方が塞がれている。また、おねば等が、蓋リングに取付けられた補強金具（図示省略）の後端付近から壁面４６を伝う恐れがあるため、本体ケーシング５３には、外部端子５６を隠すように遮熱カバー５８が被せられている。
【０００８】
【特許文献１】特開２００４−４９７４１号公報
【発明の開示】
【発明が解決しようとする課題】
【０００９】
しかしながら、特許文献１の例では、おねば等の浸入に対するコードリール５０の安全策として、ヒンジカバー４４や遮熱カバー５８を用いるので、部品数が増える。さらに、器体外殻４０にヒンジカバー４４の取付け部を形成しなければならないため、器体外殻４０を成型する金型が複雑になる。
【００１０】
それ故、特許文献１に記載のようなコードリールの設置構造を採用すると、コスト高な電気器具になるという問題があった。
【００１１】
そこで、この発明の課題は、コードリールを器体外殻の開口部下方に設置する場合でも、カバー部材を設けることなく安全を確保することができる電気器具を提供することにある。
【課題を解決するための手段】
【００１２】
上記の課題を解決する手段として、この発明は、器体外殻が、その底面を構成する底部材と、この底部材と上下に一体化される外殻上方部材とを有し、前記器体外殻の開口部下方にコードリールをその巻取り軸が水平方向を向くように設置した電気器具において、前記コードリールは、ケース部材の一端側開口にカバー部材が結合され、カバー部材側面に外部端子が露出する本体ケーシングを備え、この本体ケーシングの結合隙間を開口部下方からカバー部材側に外して位置させ、前記外殻上方部材の内面に下向きの突壁を前記ケース部材の外周面上部に合致する先端形状で形成し、この突壁の先端と前記底部材の内底面とにより前記コードリールを上下に挟持させた構成を採用した。ここで、前記ケース部材の外周面上部とは、その外周面のうち、上面視において露出する部分をいう。
【００１３】
この発明の構成では、前記コードリールは、ケース部材の一端側開口にカバー部材が結合され、カバー部材側面に外部端子が露出する本体ケーシングを備え、この本体ケーシングの結合隙間を開口部下方からカバー部材側に外して位置させたので、前記本体ケーシングのうち、前記ケース部材の外周面上部のみが前記開口部に臨む。ここで、前記外殻上方部材の内面に下向きの突壁を前記ケース部材の外周面上部に合致する先端形状で形成し、この突壁の先端と前記底部材の内底面とにより前記コードリールを上下に挟持させたので、前記結合隙間および前記外部端子と前記開口部下方の空間とが前記突壁により仕切られる。
【００１４】
したがって、前記開口部からおねば等が落下した場合でも、浸入したおねば等は、前記突壁の壁面に沿って前記ケース部材の外周面上部を流れ、或は、前記ケース部材の側面を流れる。また、前記ケース部材の外周面を伝うおねば等は、突壁最下端を過ぎても、前記突壁の壁面と平行な方向に流れ落ちるので、前記結合隙間や前記外部端子へ向けて流れない。これにより、ヒンジカバー等を省略することが可能になり、ヒンジカバーの取付け部を器体外殻に形成する必要もなくなる。
【００１５】
前記ケース部材は、樹脂製のものが好ましい。おねば等による腐食の恐れがなく、また、本体ケーシングの内部絶縁が不良になった場合におねば等が流れても、樹脂の絶縁性により安全が確保されるからである。
【００１６】
また、この発明の構成では、前記突壁を、前記外部端子よりも下方位置まで前記ケース部材の外周面に合致するように設けた構成を採用することができる。この構成によれば、前記ケース部材の外周面上部を伝うおねば等は、前記突壁により前記外部端子の下方まで確実に案内される。なお、前記突壁によって前記ケース部材の外周面上部を仕切る範囲は、想定される浸水に応じて定められる。例えば、炊飯器の場合、粘り気を有するおねばが少量浸入するだけなので、前記ケース部材の外周面上部の周方向全域を前記突壁によって仕切る必要はなく、少なくとも前記外部端子の上方を仕切り、前記突壁の最下端部を過ぎたおねば等が前記突壁の壁面と平行な方向に流れれば十分である。
【００１７】
また、この発明の構成では、前記外殻上方部材の内面に、前記本体ケーシングの両側面を挟む下向きの対壁を形成した構成を採用することができる。この構成によれば、前記コードリールの倒れが防止されるので、前記ケース部材の外周面上部と前記突壁先端との合致状態が安定する。また、器体の組立てを上下逆向きの状態で進めると、前記コードリールが前記突壁先端と前記対壁とにより設置位置に定まるので、器体の組立て作業性が向上する。
【発明の効果】
【００１８】
以上に述べたように、この発明によれば、コードリールを器体外殻の開口部下方に設置する場合でも、カバー部材等を設けることなく安全を確保することができる電気器具を得られる。
【発明を実施するための最良の形態】
【００１９】
以下、この発明の実施形態を添付図面の図１〜図８に基づいて説明する。
図１、図２に示すように、この実施形態に係る電気器具は、器体外殻１が、その底面を構成する底部材２と、この底部材２と上下に一体化される外殻上方部材３とを有する炊飯器として構成されている。外殻上方部材３は、器体外殻１の周側部と肩部とを構成している。勿論、従来同様、器体外殻は、その肩部を構成する外殻上方部材と、その周側部を構成する胴部材と、その底面を構成する底部材とを有し、外殻上方部材と底部材とで胴部材が上下に挟持された構造のものや、その肩部を構成する外殻上方部材と、その周側部と底面を構成する底部材とが上下に一体化された構造のものでもよい。
【００２０】
外殻上方部材３には、内鍋４の鍔部４ａを載せるフランジ部３ａが設けられている。このフランジ部３ａの下端縁には、内鍋４を囲む内胴部材５が嵌合されている。内胴部材５は、外殻上方部材３と、誘導加熱コイル６を巻付けた保護枠７とで上下に挟持されている。
【００２１】
保護枠７は椀状に設けられており、その底部中央には、内鍋４の温度を測定するための温度センサー８が設置されている。また、保護枠７の縁部７ａは、内胴部材５の下端との嵌合部となっている。保護枠７の高さは、誘導加熱コイル６の巻付けに要する最低限度の高さが確保されるように、縁部７ａが誘導加熱コイル６の最上端６ａの直上に設けられている。これにより、従来、最上端６ａと縁部７ａとの間にあった保護枠７の無駄部分がなくなるので、その分だけ材料費を低減することができる。
【００２２】
また、外殻上方部材３の上面後端部は、蓋１０を開閉させるためのヒンジピン１１を通すヒンジ部１２となっている。ヒンジピン１１には、蓋１０を開方向に付勢するヒンジばね１３が通されている。
【００２３】
図３〜図６に示すように、ヒンジ部１２は、上面開放のボックス状に形成されており、両側の側壁部１２ａ，１２ｂには、ヒンジピン１１の挿通孔１２ｃが形成されている。後壁部１２ｄの中央には、下向きの切欠き１２ｅが形成されている。切欠き１２ｅは、蓋１０の開閉時に、蓋１０に係止されたヒンジばね１３の一端側巻き端部の移動空間となっている。また、ヒンジ部１２の上面中央には、ヒンジピン１１を支持するピン受部１２ｆが、後壁部１２ｄおよび前壁部１２ｇと一体に形成されている。ピン受部１２ｆを境として、ヒンジ部１２の上面一方側に、ヒンジばね１３の他端側の巻き端部を係止するための凹入部１４が形成されており、他方側に上下方向の開口部１５が形成されている。この開口部１５には、蓋１０側へ配するリード線１６が通される。
【００２４】
開口部１５の下方には、コードリール２０が設置されている。コードリール２０は、従来周知のものであり、ケース部材２１の一端側開口部にカバー部材２２が結合され、カバー部材２２の側面に外部端子２３が露出する本体ケーシング２４を備え、電源コード２５と、電源コード２５の巻取り軸２６と、この巻取り軸２６を巻取り方向に回転付勢する回転付勢手段（図示省略）とが本体ケーシング２４に収納されたものである。
【００２５】
ケース部材２１は、樹脂製であり、その外周面上部が円形に設けられおり、巻取り軸２６と外部端子２３とは、ケース部材２１の頂上２１ａの下方に配されている。
【００２６】
このコードリール２０は、巻取り軸２６が水平方向を向き、外部端子２３が器体外殻１の前方側を向くように配向されており、本体ケーシング２４の結合隙間２７が開口部１５の下方からカバー部材２２側にΔＣだけ外れて位置し、ケース部材２１の頂上２１ａが開口部１５の下方から巻取り軸２６と交差する方向にΔＳだけ外れて位置するように配置されている。
【００２７】
コードリール２０は、上記の配置において、外殻上方部材３の内面に下向きに形成された突壁３０の先端と底部材２の内底面とにより上下に挟持されている。突壁３０は、ヒンジ部１２の前壁部１２ｇから下向きに延び、先端形状がケース部材２１の外周面上部に合致するように設けられている。この合致範囲は、外部端子２３の上方からヒンジ部１２の側壁部１２ａの下方までに亘っている。これにより、結合隙間２７および外部端子２３と開口部１５の下方は、突壁３０により仕切られている。
【００２８】
勿論、突壁３０は、図７に示すように、外部端子２３よりも下方までケース部材２１の外周面に合致するように設けることもできる。
【００２９】
さらに、外殻上方部材３の内面には、本体ケーシング２４の両側面を挟む下向きの対壁３１，３１が、巻取り軸２６と交差する方向において外部端子２３の両側に位置するように突壁３０と一体に形成されている。突壁３０と対壁３１，３１の一体形成により突壁３０の剛性が高められるので、突壁３０の先端とケース部材２１の外周面上部との合致状態がより安定する。
【００３０】
また、突壁３０は、巻取り軸２６と交差する方向において一端側の端部が凹入部１４に連なり、他端側の壁面に下向きのリブ３０ａが一体形成された構造となっている。このため、突壁３０の倒れが凹入部１４とリブ３０ａにより効果的に防止される。
【００３１】
図８に示すように、器体外殻１の組立て時、外殻上方部材３の下面を上向けた状態で、コードリール２０がその上面を下向けて対壁３１，３１に載せられると、ケース部材２１の外周面上部に突壁３０の先端が当たり、コードリール２０が上記の配置に保持される。この状態で、底部材２の上端が外殻上方部材３に嵌合されると、カバー部材２２の下縁に形成された突片部２２ａが底部材２の底面に形成された貫通口２ａに嵌まり、突壁３０の先端と底部材２の内底面とによりコードリール２０が挟持される。そして、従来同様、外殻上方部材３と底部材２とがねじ締結されると、突壁３０の先端がケース部材２１の外周面上部に密接する。
【００３２】
この炊飯器の使用時において、例えば、蓋１０を開く際、その蒸気孔１０ａからおねば等が蓋外面を伝って切欠き１２ｅからヒンジ部１２内に流れたとしても、おねば等はピン受部１２ｆがヒンジ部１２の底部上面に対し高さをもっているので、堰き止められる。また、ピン受部１２ｆを伝って開口部１５からおねば等が器体内に落下したとても、そのおねば等は、ケース部材２１の外周面上部を突壁３０の壁面に沿って流れ、或は、ケース部材２１の側面を流れ（図５参照）、突壁３０の最下端部を過ぎた後も突壁３０の壁面と平行する方向に流れ落ちる。流れ落ちたおねば等は、底部材２の貫通口２ａなどから外部に流出する。
【図面の簡単な説明】
【００３３】
【図１】実施形態に係る電気器具の外観を示す後方斜視図。
【図２】図１のII−II線の断面図。
【図３】（ａ）同上の外殻上方部材を、そのヒンジ部の後壁部を部分的に切欠き、コードリールを想像線で示す後面図。（ｂ）（ａ）図のヒンジ部付近を拡大して示す上面図。（ｃ）（ａ）図のｃ−ｃ線の断面図。（ｄ）（ａ）図のｄ−ｄ線の断面図。
【図４】同上の外殻上方部材のヒンジ部付近を拡大して示す下面図。
【図５】図１のＶ−Ｖ線の断面図。
【図６】同上の外殻上方部材からコードリールを外した状態を斜め下方からの視線で示す分解斜視図。
【図７】同上の外殻上方部材に形成する突壁の別例を、想像線で描いたコードリールと共に示す概略後面図。
【図８】同上の上下逆向きにした状態で、外殻上方部材と底部材とが分離した状態を示す分解斜視図。
【図９】従来例の器体後部付近を拡大して示す部分縦断側面図。
【符号の説明】
【００３４】
１，４０  器体外殻
２，４１  底部材
２ａ  貫通口
３，４２  外殻上方部材
３ａ  フランジ部
４  内鍋
４ａ  鍔部
５  内胴部材
６  誘導加熱コイル
６ａ  最上端
７  保護枠
７ａ  縁部
８  温度センサー
１０  蓋
１０ａ  蒸気孔
１１  ヒンジピン
１２，４３  ヒンジ部
１２ａ，１２ｂ  側壁部
１２ｃ  挿通孔
１２ｄ  後壁部
１２ｅ  切欠き
１２ｆ  ピン受部
１２ｇ  前壁部
１３  ヒンジばね
１４  凹入部
１５，４５  開口部
１６  リード線
２０，５０  コードリール
２１  ケース部材
２１ａ  頂上
２２  カバー部材
２２ａ  突片部
２３，５６  外部端子
２４，５３  本体ケーシング
２５，５１  電源コード
２６，５２  巻取り軸
２７，５７  結合隙間
３０  突壁
３０ａ  リブ
３１  対壁
４４  ヒンジカバー
４６  壁面
４７  コネクタ
４８  下側開口部
５４  合成樹脂ケース
５５  金属カバー
５８  遮熱カバー
【図１】
2006192145.tif 000003
【図２】
2006192145.tif 000004
【図３】
2006192145.tif 000005
【図４】
2006192145.tif 000006
【図５】
2006192145.tif 000007
【図６】
2006192145.tif 000008
【図７】
2006192145.tif 000009
【図８】
2006192145.tif 000010
【図９】
2006192145.tif 000011